(57)【要約】【課題】端末機の使用者インターフェース方法に関するものであって、特にタッチスクリーンあるいはタッチパッドなどに行われる使用者のタッチの軌跡及び方向を認識し、これに基づいて使用者の命令を処理するようにした端末機の使用者インターフェース方法に関する。【解決手段】タッチスクリーン１１０を備え、使用者がタッチスクリーン１１０をタッチした位置を認識する端末機１００により行われ、使用者のタッチが、端末機１００によって予め決められた多数の外点のいずれか一つから始めて、上記多数の外点に取り囲まれた端末機１００によって予め決められた内点を経た後、上記多数の外点のいずれか一つで終わることになれば、端末機１００に保存されているタッチ対キー値テーブルを探索し、上記使用者のタッチの軌跡と方向に該当するキー値を確認する（ａ）段階、及び上記確認されたキー値に該当する使用者の命令を処理する（ｂ）段階を含んでなる。【選択図】図１
2010061636.tif 000002
【特許請求の範囲】
【請求項１】
タッチ手段を備え、使用者が前記タッチ手段をタッチした位置を認識する端末機により行われ、
使用者のタッチが、前記端末機によって予め決められた多数の外点のいずれか一つから始めて、前記多数の外点に取り囲まれた前記端末機によって予め決められた内点を経た後、前記多数の外点のいずれか一つで終わることになれば、前記端末機に保存されているタッチ対キー値テーブルを探索し、前記使用者のタッチの軌跡と方向に該当するキー値を確認する（ａ）段階、 及び
前記確認されたキー値に該当する使用者の命令を処理する（ｂ）段階を含んでなる
ことを特徴とする使用者インターフェース方法。
【請求項２】
前記（ａ）段階から確認されたキー値が文字の場合には、前記（ｂ）段階は前記文字を表示する
ことを特徴とする請求項１に記載の使用者インターフェース方法。
【請求項３】
前記タッチ手段はタッチスクリーンであり、
前記内点及び前記多数の外点を表示する
ことを特徴とする請求項１に記載の使用者インターフェース方法。
【請求項４】
前記内点と前記多数の外点を連結するガイドラインを表示する
ことを特徴とする請求項３に記載の使用者インターフェース方法。
【請求項５】
前記タッチ手段はタッチパッドであり、
前記タッチパッドには前記内点及び前記多数の外点が表示されている
ことを特徴とする請求項１に記載の使用者インターフェース方法。
【請求項６】
前記タッチパッドには前記内点と前記多数の外点を連結するガイドラインが表示されている
ことを特徴とする請求項５に記載の使用者インターフェース方法。
【請求項７】
タッチ手段を備え、使用者が前記タッチ手段をタッチした位置を認識する端末機により行われ、
使用者のタッチが、前記端末機によって予め決められた多数の外点のいずれか一つから始めて、前記多数の外点に取り囲まれた前記端末機によって予め決められた内点を経た後、前記多数の外点のいずれか一つで終わるか、使用者のタッチが、前記多数の外点のいずれか一つから始めて前記内点を経ず、他の外点で終わることになれば、前記端末機に保存されているタッチ対キー値テーブルを探索し、前記使用者のタッチの軌跡と方向に該当するキー値を確認する（ａ）段階、及び
前記確認されたキー値に該当する使用者の命令を処理する（ｂ）段階を含んでなる
ことを特徴とする使用者インターフェース方法。
【請求項８】
前記タッチ対キー値テーブルにおいて、前記内点を経る使用者のタッチには文字キー値が割り当てられ、前記内点を経ない使用者のタッチには非文字キー値が割り当てられる
ことを特徴とする請求項７に記載の使用者インターフェース方法。
【請求項９】
前記タッチ手段はタッチスクリーンであり、
前記内点及び前記多数の外点を表示する
ことを特徴とする請求項７に記載の使用者インターフェース方法。
【請求項１０】
前記内点と前記多数の外点を連結するガイドラインを表示する
ことを特徴とする請求項９に記載の使用者インターフェース方法。
【請求項１１】
前記タッチ手段はタッチパッドであり、
前記タッチパッドには前記内点及び前記多数の外点が表示されている
ことを特徴とする請求項７に記載の使用者インターフェース方法。
【請求項１２】
前記タッチパッドには前記内点と前記多数の外点を連結するガイドラインが表示されている
ことを特徴とする請求項１１に記載の使用者インターフェース方法。
【請求項１３】
コンピューターに、請求項１乃至１２のいずれかに記載の使用者インターフェース方法の各処理段階を実行させるためのプログラムを記録したコンピューターで読み取り可能な媒体。
【発明の詳細な説明】
【技術分野】
【０００１】
本発明は、端末機の使用者インターフェース方法に関するものであって、特に、タッチスクリーンあるいはタッチパッドなどに行われる使用者のタッチの軌跡及び方向を認識し、これに基づいて使用者の命令を処理するようにした端末機の使用者インターフェース方法に関する。
【背景技術】
【０００２】
周知のように、端末機の入力装置としては、キーボード（ｋｅｙ ｂｏａｒｄ）、キーパッド（ｋｅｙ ｐａｄ）、タッチパッド（ｔｏｕｃｈ ｐａｄ）及びタッチスクリーン（ｔｏｕｃｈ ｓｃｒｅｅｎ）などがある。すなわち、使用者は、このような入力装置を用いて端末機に文字を入力するか、端末機に設けられた各種プログラムの動作を制御することができる。ここで、文字とは、表音文字及び表意文字以外に、数字、各種の特殊記号などをひっくるめて称える。
【０００３】
一方、携帯電話やＰＤＡ及びＭＰ３などのようにハンドヘルド（ｈａｎｄｈｅｌｄ）基盤の端末機の開発動向を見れば、キーパッドは小型化される反面、ディスプレー画面は大きくなる傾向がある。
【０００４】
しかし、キーパッドの小型化は、言い換えれば、ボタンを小さくし、ボタン間の間隔をぎっしりとするということを意味するが、このようになれば、目的キーを正確に押しにくいという問題点がある。
【０００５】
勿論、ボタンの大きさはそのまま置いて、その数を減らすことにより空間の制約を克服することができる。しかし、このようになれば、１つのボタンに、より多い文字が割り当てられなければならない。結局、キー操作の頻度だけが高くなり、便宜性は落ちるわけである。従って、使用者は、特定文字を入力するために多くのボタンを連続して押さなければならない煩わしさがある。また、キーパッドが比較的小さな領域を占めると言っても、キーパッドの存在は、ディスプレー画面の大きさを拡大するに大きい制約になる。
【０００６】
これにより、最近の端末機には、入力装置としてタッチスクリーンが採用されている場合が多い 。
【０００７】
しかし、タッチスクリーンと言っても、画面上に表現できるボタンの数には限界がある。従って、上述したように１つのボタンに多い数の文字が割り当てられるしかない。
【発明の概要】
【発明が解決しようとする課題】
【０００８】
本発明は、前述した問題点を解決するために案出されたものであって、使用者がタッチスクリーンやタッチパッドを用いて端末機を操作する時、一回の線引きで所望のキー値を入力できるようにしたタッチ軌跡及びタッチ方向の認識に基づいた使用者インターフェース方法（入力方法）を提供することにその目的がある。
【課題を解決するための手段】
【０００９】
前述した目的を果たすために、本発明の一実施例による使用者インターフェース方法は、タッチ手段を備え、使用者が上記タッチ手段をタッチした位置を認識する端末機により行われ、使用者のタッチが、上記端末機によって予め決められた多数の外点のいずれか一つから始めて、上記多数の外点に取り囲まれた上記端末機によって予め決められた内点を経た後、上記多数の外点のいずれか一つで終わることになれば、上記端末機に保存されているタッチ対キー値テーブルを探索し、上記使用者のタッチの軌跡と方向に該当するキー値を確認する（ａ）段階、及び、上記確認されたキー値に該当する使用者の命令を処理する（ｂ）段階を含んでなる。
【００１０】
また、上記（ａ）段階から確認されたキー値が文字の場合には、上記（ｂ）段階は上記文字を表示する。
【００１１】
また、上記タッチ手段がタッチスクリーンで具現されたら、上記端末機は、上記内点、上記多数の外点、及び上記内点と上記多数の外点を連結するガイドラインを表示するのが望ましい。
【００１２】
また、上記タッチ手段がタッチパッドで具現されたら、上記タッチパッドには上記内点、上記多数の外点、及び上記内点と上記多数の外点を連結するガイドラインが表示されているのが望ましい。
【００１３】
本発明の他の実施例による使用者インターフェース方法は、タッチ手段を備え、使用者が上記タッチ手段をタッチした位置を認識する端末機により行われ、使用者のタッチが、上記端末機によって予め決められた多数の外点のいずれか一つから始めて、上記多数の外点に取り囲まれた上記端末機によって予め決められた内点を経た後、上記多数の外点のいずれか一つで終わるか、使用者のタッチが、上記多数の外点のいずれか一つから始めて上記内点を経ず、他の外点で終わることになれば、上記端末機に保存されているタッチ対キー値テーブルを探索し、上記使用者のタッチの軌跡と方向に該当するキー値を確認する（ａ）段階、及び、上記確認されたキー値に該当する使用者の命令を処理する（ｂ）段階を含んでなる。
【００１４】
また、上記タッチ対キー値テーブルにおいて、上記内点を経る使用者のタッチには文字キー値が割り当てられ、上記内点を経ない使用者のタッチには非文字キー値が割り当てられるのが望ましい。
【００１５】
また、上記タッチ手段がタッチスクリーンで具現されたら、上記端末機は、上記内点、上記多数の外点、及び上記内点と上記多数の外点を連結するガイドラインを表示するのが望ましい。
【００１６】
また、上記タッチ手段がタッチパッドで具現されたら、上記タッチパッドには上記内点、上記多数の外点、及び上記内点と上記多数の外点を連結するガイドラインが表示されているのが望ましい。
【発明の効果】
【００１７】
本発明のタッチ軌跡及びタッチ方向の認識に基づいた使用者インターフェース方法によれば、使用者はタッチスクリーンやタッチパッドの一部分の制限された空間、すなわち、多数の外点に取り囲まれた空間内で一回の線引きで所望のキー値を入力することができる。例えば、８個の外点から最大５６（８＊７）個、あるいは最大６４（８＊８）個のキー値のいずれか一つを一回の線引きで入力することができる。
【００１８】
従って、端末機のボタン数は画期的に減りつつも、キー操作の正確性及び便宜性は高める効果がある。
【００１９】
また、一回の線引きで所望のキー値を入力することができるということは、片手で端末機を操作することが容易であるということだ。
【図面の簡単な説明】
【００２０】
【図１】本発明のタッチ軌跡及びタッチ方向の認識に基づいた使用者インターフェース方法が適用できる移動通信端末機の外観を示す斜視図である。
【図２】本発明のタッチ軌跡及びタッチ方向の認識に基づいた使用者インターフェース方法が適用できるノートパソコンの外観を示す斜視図である。
【図３】本発明の一実施例によるタッチ軌跡及びタッチ方向の認識に基づいた使用者インターフェース方法を具現することができる端末機の電気的なブロック構成図である。
【図４】本発明の一実施例によるタッチ軌跡及びタッチ方向の認識に基づいた使用者インターフェース方法を説明するためのフローチャートである。
【図５】本発明の一実施例によるタッチ軌跡及びタッチ方向の認識に基づいた使用者インターフェース方法を説明するための概念図である。
【図６】本発明の一実施例によるタッチ軌跡及びタッチ方向の認識に基づいた使用者インターフェース方法を説明するための概念図である。
【図７】本発明の一実施例によるタッチ軌跡及びタッチ方向の認識に基づいた使用者インターフェース方法を説明するための概念図である。
【図８】本発明の一実施例によるタッチ軌跡及びタッチ方向の認識に基づいた使用者インターフェース方法を説明するための概念図である。
【発明を実施するための形態】
【００２１】
以下には、添付した図面を参照して本発明の望ましい実施例によるタッチ軌跡及びタッチ方向の認識に基づいた使用者インターフェース方法について詳細に説明する。
【００２２】
図１及び図２は、それぞれ、本発明のタッチ軌跡及びタッチ方向の認識に基づいた使用者インターフェース方法が適用できる移動通信端末機とノートパソコンの外観を示した斜視図である。勿論、本発明はこのような外観を有する端末機に限らず、ＰＤＡ、ＭＰ３プレーヤー、電子辞典、リモートコントローラー及びナビゲーションなどの多様な分野に適用できる。
【００２３】
図１に示すように、本発明が適用できる移動通信端末機１００には主回路とアンテナが内蔵されており、前面にはタッチスクリーン１１０及びキーパッド１１５が配置される。
また、移動通信端末機１００の前面には内部のスピーカー（未図示）と連通されているスピーカーホール１０５と、内部のマイク（未図示）と連通されているマイクホール（未図示）が穿孔される。
【００２４】
また、背面の適所、例えば、上部にはカメラレンズ（未図示）及び夜間撮影時の照明のためのフラッシュ（未図示）が設けられる。
【００２５】
また、タッチスクリーン１１０には、使用者のキー入力をガイドするためのガイドライン１１１を表示する。
【００２６】
図２に示すように、本発明が適用できるノートパソコン１００´には、通常、マウス、ジョイスティックなどのポインティング装置の代わりにタッチパッド１１０´が配置される。
【００２７】
また、タッチパッド１１０´には、使用者のキー入力をガイドするためのガイドライン１１１´が表示される。この時、タッチパッド１１０´の表面でガイドライン１１１´に該当する部位は陽刻や陰刻、すなわち、凸状又は凹状にすることができる。
【００２８】
図３は、本発明の一実施例によるタッチ軌跡及びタッチ方向の認識に基づいた使用者インターフェース方法が具現可能な端末機の電気的なブロック構成図である。
【００２９】
図３に示すように、本発明による移動通信端末機１００の電気的なブロック構成は、キー入力部１３０、タッチ認識部１２５、ＲＦ送／受信部１３５、保存部１４０、ビデオ処理部１６５、オーディオ処理部１６０、カメラ駆動部１５５、映像処理部１５０及び制御部１２０を含んでなることができる。
【００３０】
具体的に、キー入力部１３０は、使用者が自分の指やスタイラスペンを用いてタッチスクリーン１１０（あるいはタッチパッド）をタッチすることになれば、それに相応するタッチ信号を発生させることである。また、キー入力部１３０は、使用者がキーパッド１１５を押すことになれば、それに相応するキー信号を発生させることである。
【００３１】
次に、タッチ認識部１２５は、キー入力部１２０から入力されるタッチ信号を分析して使用者がタッチスクリーン１００をタッチした位置を認識し、タッチの軌跡と方向を認識することである。
【００３２】
また、タッチ認識部１２５は、使用者のタッチが端末機１００によって予め決められた多数の外点のいずれか一つから始めて、上記多数の外点に取り囲まれた端末機１００によって予め決められた内点を経た後、多数の外点のいずれか一つで終わることになれば、このような使用者のタッチを一つの「線引き」と認識することである。ここで、外点及び内点は、前述したガイドライン１１１あるいは１１１´上に位置するものである。
【００３３】
また、タッチ認識部１２５は、使用者のタッチが多数の外点のいずれか一つから始めて内点を経ないで、他の外点で終わっても、このような使用者のタッチを一つの線引きと認識することになる。
【００３４】
次に、ＲＦ送／受信部１３５は、制御部１２０の制御により、アンテナを通じて基地局と無線周波信号を送／受信することである。
【００３５】
次に、保存部１４０は、端末機のＯＳ（ｏｐｅｒａｔｉｎｇ ｓｙｓｔｅｍ）、各種アプリケーションプログラム、制御部１２０の演算過程から発生するデータ、使用者が設定したデータ及びタッチ対キー値テーブルを保存するためのものである。ここで、タッチ対キー値テーブルは、一つの線引きに文字キーや非文字キーが対応されていることである。非文字キーとは、文字以外にコントロール（Ｃｔｒｌ）、アルト（Ａｌｔ）、シフト（Ｓｈｉｆｔ）、エンター（Ｅｎｔｅｒ）、タブ（Ｔａｂ）及び韓国語／英語の切り替えキーなどを称える。周知のように、これらの非文字キーはキーの本来の意味を変更させるか、プログラム動作を制御する時、あるいはモニター上でテキスト又はカーソルを移動させる時に使用されるものである。
【００３６】
次に、ビデオ処理部１６５は、制御部１２０の制御により、タッチスクリーン１１０を通じて映像が出力されるように映像信号を処理するものである。
【００３７】
次に、オーディオ処理部１６０は、制御部１２０の制御により、マイク１７５から入力されたアナログ形態の音声信号を相応するデジタル音声信号に変換し、デジタル音声信号を相応するアナログ音声信号に変換してスピーカー１７０から出力するものである。
【００３８】
次に、カメラ駆動部１５５は、制御部１２０の制御により、ＣＣＤカメラ１８０を駆動するものであり、映像処理部１５０は、ＣＣＤカメラ１８０から出力されたイメージデータを処理するものである。
【００３９】
次に、制御部１２０は、キー入力部１３０が発生させたタッチ信号やキー信号、あるいはＲＦ送／受信部１３５から入力されるＲＦ信号に基づき、端末機１００を総括的に制御するものである。特に、制御部１２０は、保存部１４０に保存されているタッチ対キー値テーブルを探索し、タッチ認識部１２５により認識された線引きの軌跡及び方向に該当するキー値を確認し、このように確認されたキー値に該当する使用者の命令を処理するようにビデオ処理部１６５、ＲＦ送／受信部１３５、オーディオ処理部１６０あるいはカメラ駆動部１５５を制御するものである。言わば、文字を表示するようにビデオ処理部１６５を制御する。または、タッチスクリーン１１０上に表示される画面を切り替えるようにビデオ処理部１６５を制御する。または、確認されたキー値に該当する端末機番号で電話をかけるようにＲＦ送／受信部１３５を制御する。
【００４０】
図４は、本発明の一実施例によるタッチ軌跡及びタッチ方向の認識に基づいた使用者インターフェース方法を説明するためのフローチャートであり、以上で説明した端末機１００、１００´により行われる。
【００４１】
また、図５乃至図８は、本発明の一実施例によるタッチ軌跡及びタッチ方向の認識に基づいた使用者インターフェース方法を説明するための概念図である。制御部１２０は図５乃至図８に示すように、多数の外点２１乃至２８、多数の外点２１乃至２８を連結する閉ループ内に位置した内点１０、内点１０と外点２１乃至２８を連結するガイドライン（ａ）乃至（ｈ）、及び近接した外点同士を連結するガイドラインα乃至θをタッチスクリーン１１０上に表示するようにビデオ処理部１６５を制御する。一方、図５乃至図８に示すような点などとガイドラインは、タッチパッド１１０´上に描かれることができる。
【００４２】
図４に示すように、段階Ｓ１１では使用者のタッチが多数の外点２１乃至２８のいずれか一つから始めて内点１０を経た後、多数の外点２１乃至２８のいずれか一つで終わることになれば、このような使用者のタッチを一つの線引きと認識することになる。または、使用者のタッチが多数の外点２１乃至２８のいずれか一つから始めて内点１０を経ず、他の外点で終わることになれば、このような使用者のタッチも一つの線引きと認識することになる。
【００４３】
次に、段階Ｓ１３ではタッチ対キー値テーブルを探索し、段階Ｓ１１で認識された線引きの軌跡と方向に該当するキー値を確認する。
【００４４】
図５を参照に、第１の例を挙げれば、使用者のタッチが外点２１から始めてガイドライン（ａ）に沿って内点１０を経たった後、ガイドライン（ｆ）に沿って外点２６で終わることになれば、このような線引きの軌跡と方向に該当するキー値は文字「Ａ」になる。また、使用者のタッチが「２１→（ａ）→１０→（ｅ）→２５」であると、これに該当するキー値は文字「Ｂ」になる。また、使用者のタッチが「２１→（ａ）→１０→（ｄ）→２４」であると、これに該当するキー値は文字「Ｃ」になる。
【００４５】
すなわち、使用者はＡ、ＢあるいはＣを入力するためには、外点２１でタッチを始めれば良い。一方、Ｄ、ＥあるいはＦを入力しようとしたら外点２２で始めれば良いし、Ｇ、ＨあるいはＩは、外点２３から始めれば良い。また、Ｌ、ＫあるいはＪは外点２４で、Ｏ、ＮあるいはＭは外点２５で、Ｒ、ＱあるいはＰは外点２６で、Ｕ、ＳあるいはＴは外点２７で、最後にＹ、Ｖ、Ｗ、ＸあるいはＺは外点２８で始めれば良い。結局、使用者は一回の線引きでアルファベット２６字のいずれか一つを入力することができるようになる。
【００４６】
ここで、制御部１２０は、外点の近くには該当外点をタッチの始点とする線引きに対応されるキー値などをタッチスクリーン１１０上に表示するようにビデオ処理部１６５を制御するのが望ましい。これにより、使用者は自分の所望するキー値を入力するために、どの外点でタッチを始めなければならないかを容易に認知することができるようになる。
【００４７】
一方、外点２１上に表示されているＡＢＣを見れば、ＡはＢの左側に表示されており、ＣはＢの右側に表示されていることが分かる。これにより、使用者はタッチの方向を左にすればＡが入力されるということ、タッチの方向を一直線にすればＢが入力されるということ、そして、タッチの方向を右側にすればＣが入力されるということを直観的に認識することができるようになる。
【００４８】
図６を参照に、第２の例を挙げれば、使用者のタッチが「２１→（ａ）→１０→（ｈ）→２８」であると、これに該当するキー値は、文字「！」になる。また、使用者のタッチが「２６→（ｆ）→１０→（ｅ）→２５」であると、これに該当するキー値は、文字「］」になる。結局、使用者は、一回の線引きでアルファベット２６字及び多数の特殊文字のいずれか一つを入力することができるようになる。
【００４９】
図７を参照に、第３の例を挙げれば、使用者のタッチが「２７→（ｇ）→１０→（ｂ）→２２」であると、これに該当するキー値は、韓国語の文字「
【００５０】
【化１】
2010061636.tif 000003
」になる。また、使用者のタッチが「２７→（ｇ）→１０→（ｃ）→２３」であると、これに該当するキー値は、韓国語の文字「
【００５１】
【化２】
2010061636.tif 000004
」になる。また、使用者のタッチが「２７→（ｇ）→１０→（ｄ）→２４」であると、これに該当するキー値は、韓国語の文字「
【００５２】
【化３】
2010061636.tif 000005
」になる。結局、使用者は一回の線引きで韓国語の子／母音の２７字のいずれか一つを入力することができるようになる。
【００５３】
以上のように、外点の個数が「Ｎ」と言ったら、一回の線引きで最大「Ｎ＊（Ｎ−１）」個のキー値のいずれか一つを入力することができる。例えば、８個の外点から最大５６（８＊７）個のキー値のいずれか一つを一回の線引きで入力することができることである。
【００５４】
もし、タッチの始点と終点が同一なことも、一つの線引きになることができれば、一回の線引きで最大「Ｎ＊Ｎ」個のキー値のいずれか一つを入力することができる。
【００５５】
図８を参照に、第４の例を挙げれば、使用者のタッチが「２８→θ→２１→α→２２」であると、これに該当するキー値は、方向キー「ＵＰ」になる。また、使用者のタッチが「２５→ε→２６→ζ→２７」であると、これに該当するキー値は、エンターキー「Ｅｎｔｅｒ」になる。結局、使用者は、外郭のガイドラインα乃至θに沿って線引きをすることになれば、非文字キーを入力することができるようになる。
【００５６】
再び、図４に戻って、段階Ｓ１５では段階Ｓ１３から確認されたキー値に該当する使用者の命令を処理することになる。例えば、端末機１００は、文字を表示するか、タッチスクリーン１１０上に表示される画面を切り替えるか、あるいは、キー値に該当する端末機番号で電話をかけることである。
【００５７】
本発明のタッチ軌跡及びタッチ方向の認識に基づいた使用者インターフェース方法は、前述した実施例に限らず、本発明の技術思想が許容する範囲で多様に変形して実施することができる。
【符号の説明】
【００５８】
１００、１００´: 端末機
１１０: タッチスクリーン
１１０´: タッチパッド
１２０: 制御部
１２５: タッチ認識部
１３０: キー入力部
１３５: ＲＦ送／受信部
１４０: 保存部
１５０: 映像処理部
１５５: カメラ駆動部
１６０: オーディオ処理部
１６５: ビデオ処理部
１７０: スピーカー
１７５: マイク
１８０: ＣＣＤカメラ
【図１】
2010061636.tif 000006
【図２】
2010061636.tif 000007
【図３】
2010061636.tif 000008
【図４】
2010061636.tif 000009
【図５】
2010061636.tif 000010
【図６】
2010061636.tif 000011
【図７】
2010061636.tif 000012
【図８】
2010061636.tif 000013